(57)【要約】  【課題】  道路の側溝や集水ます等に設置されている蓋（グレーチング）が車の走行で浮き上がったり、跳ね上るのを防止するために、溝側の側面に突出して設けられた突出部材（被引張試験材）が所望の強度で取付けられていることを確認するための、溝側面の突出部材の簡易引張試験装置を提供する。  【解決手段】    断面逆Ｔ字状の基板フレーム１と、この基板フレーム１の立設支持部材６に回動可能に支持された回動アーム部材２と、この回動アーム部材２の先端部に垂直方向に保持された引上げアーム３と、この引上げアーム３の先端部に着脱可能に設けられる被引張試験材Ｈに係合させるアタッチメント４とを備えてなる。  【選択図】        図１
2005043216.tif 000002
【特許請求の範囲】
【請求項１】
断面逆Ｔ字状の基板フレームと、この基板フレームの立設支持部材に回動可能に支持された回動アーム部材と、この回動アーム部材の先端部に垂直方向に保持された引上げアームと、この引上げアームの先端部に着脱可能に設けられる被引張試験材に係合させるアタッチメントとを備えてなることを特徴とする溝側面の突出部材の簡易引張試験装置。
【請求項２】
回動アーム部材が管材からなるとともに、その長さが立設支持部材に回動可能に支持された回動支点から引上げアームまでの長さの３倍以上有する請求項１に記載の溝側面の突出部材の簡易引張試験装置。
【請求項３】
引上げアームに荷重測定手段を備えてなる請求項１又は２に記載の溝側面の突出部材の簡易引張試験装置。
【請求項４】
横フレームに脚部が設けられた門型フレームと、前記横フレームに横移動可能に設けられた昇降駆動手段と、この昇降駆動手段に垂直方向に保持された引上げアームと、この引上げアームの先端部に着脱可能に設けられる被引張試験材に係合させるアタッチメントとを備えてなるとともに、前記引上げアームに荷重測定手段を介在させてなることを特徴とする溝側面の突出部材の簡易引張試験装置。
【発明の詳細な説明】
【技術分野】
【０００１】
本発明は、溝側面の突出部材の簡易引張試験装置に関し、特には道路の側溝や集水ます等のＵ字状溝に設置されている蓋が車の走行で浮き上がったり、跳ね上るのを防止するために溝側の側面に部材を突出して設けこの突出部材（被引張試験材）に係合する係合部材（締付け板）を蓋側に設けて蓋の浮き上がりや跳ね上りを防止した側溝などにおける、溝側面の突出部材の簡易引張試験装置に関するものである。
【背景技術】
【０００２】
道路や歩道等には、通常、雨水を排水するため側溝や集水ます等のＵ字状溝が設けられている。そして、そのＵ字状溝には蓋として、コンクリート製や鉄板製の蓋を取付けたものもあるが、近年は開口部が多く水はけが良い上に、Ｕ字状溝内にごみが詰まっているのが容易に確認できるなどの利点のあるグレーチングが多用されている。グレーチングは、通常、外枠内に主部材と横部材を格子状に形成して構成され、外枠のエンドプレートに山形鋼を用いたグレーチングではＵ字状溝の上部縁に山形鋼のフランジ部を載せ置いて、外枠のエンドプレートに平鋼を用いたグレーチングではＵ字状溝の上部縁に形成された受部内に落とし込んでそれぞれ開閉可能に取付けられている。
【０００３】
ところで、グレーチングを載せ置いて取付けるＵ字状溝の場合には、その載せ置くＵ字状溝の上部縁は、通常コンクリートのままであり、しかもグレーチングとＵ字状溝との間にはかなりの隙間があるため、グレーチング上を自転車や自動車などの車が走行したり、人が通ってもカタカタ、あるいはガチャガチャと音を発することがあり、特に住宅街においてはこの音が耳障りで問題となっている上に、跳ね上がりの懸念もある。音の発生を防止するため隙間にゴムなどの騒音防止材を取付けたものもあるが、耐用性が悪く交換などのメンテナンスの手間が大変である。
【０００４】
また、グレーチングを落とし込んで設けるＵ字状溝の場合も、その受部は通常コンクリートのまま、あるいは山形鋼をアンカーを介してコンクリートに取付けた形態となっており、しかもグレーチングと受部の間にはかなりの隙間があるため、上記Ｕ字状溝の上部縁に載せ置いて取付けるグレーチングの場合と同様に、Ｕ字状溝のグレーチング上を自転車や自動車などの車が走行したり、人が通ってもカタカタ、あるいはガチャガチャと音を発することがあり、特に住宅街においてはこの音が耳障りで問題となっている上に、跳ね上がりの懸念もある。一方、これを改善して、グレーチングを受部内に落とし込んでアンカーボルト・ナットにより固定することもできるが、このようにした場合、しっかりとした固定ができ音の発生が無い反面、ごみなどを取り除く際にはその開閉に時間を要し作業性が悪いなどの問題がある。
【０００５】
そこで、本発明者等は、上記の如き問題を解消するために、先に、外枠内に主部材と横部材が格子状に形成されてなるグレーチングにおいて、平行する主部材間の底側外枠寄りに設けられ上下方向の貫通孔を有する補助部材と、この補助部材の貫通孔に回動自在に設けられた回動軸と、この回動軸の底側の端部に設けられた締付け板とを備えてなるグレーチング（特願２００２−７０３０２号参照）を、及び、グレーチングを設ける開口部を有するコンクリート製品本体と、その開口部の下方内壁部に設けられた係合部材と、前記開口部に開閉可能に設置されると共に、前記係合部材に係合する係合部材を備えるグレーチングとを備えてなるコンクリート製品（特願２００３−８５７２７号参照）を提案した。
【０００６】
上記提案のグレーチングは、締付け板（係合部材）を備えており、この係合部材とグレーチングの主部材下面との間で、側溝や集水ます等のＵ字状溝の側面に突出して設けた突出部材を挟み付けることができる。このように挟み付けることで、この挟み付けが解除されないかぎりグレーチングが受部との間でガタツクことがなく、車などの走行でカタカタ、ガチャガチャといった音を発することが防止できるし、またグレーチングが受部内から浮き上がったり、外れたりすることの防止も図れる。また、挟み付けは簡単に解除することができ、ごみなどを取り除く作業が支障なく行える。また、このように騒音防止、跳ね上がり防止、清掃容易といったことから、特に住宅街の道路への適用が期待されている。
【０００７】
しかしながら、上記のようにグレーチングを側溝や集水ます等のＵ字状溝に設置する場合、Ｕ字状溝の側面に突出部材を設けなければならないが、その突出部材が、コンクリートの側面に開けられた穴に埋設された部材、あるいは受部の山形鋼に直接溶接したり、溶接したボルトなどを介して設けた部材などの場合には、その取付けが不十分で、使用中に外れることが懸念されている。
【発明の開示】
【発明が解決しようとする課題】
【０００８】
本発明は、上記の問題点に鑑みてなされたものであって、その目的は、道路の側溝や集水ます等に設置されている蓋（グレーチング）が車の走行で浮き上がったり、跳ね上るのを防止するために、溝側の側面に突出して設けられた突出部材（被引張試験材）が所望の強度で取付けられていることを確認するための、溝側面の突出部材の簡易引張試験装置を提供するものである。
【課題を解決するための手段】
【０００９】
本発明（請求項１）に係る溝側面の突出部材の簡易引張試験装置は、断面逆Ｔ字状の基板フレームと、この基板フレームの立設支持部材に回動可能に支持された回動アーム部材と、この回動アーム部材の先端部に垂直方向に保持された引上げアームと、この引上げアームの先端部に着脱可能に設けられる被引張試験材に係合させるアタッチメントとを備えてなるものである。
【００１０】
そして、上記溝側面の突出部材の簡易引張試験装置においては、回動アーム部材が管材からなるとともに、その長さが立設支持部材に回動可能に支持された回動支点から引上げアームまでの長さの３倍以上有するものであってもよい（請求項２）。また、引上げアームに荷重測定手段を備えるものであってもよい（請求項３）。
【００１１】
また、本発明（請求項４）に係る溝側面の突出部材の簡易引張試験装置は、横フレームに脚部が設けられた門型フレームと、前記横フレームに横移動可能に設けられた昇降駆動手段と、この昇降駆動手段に垂直方向に保持された引上げアームと、この引上げアームの先端部に着脱可能に設けられる被引張試験材に係合させるアタッチメントとを備えてなるとともに、前記引上げアームに荷重測定手段を介在させてなるものである。
【発明の効果】
【００１２】
本発明に係る溝側面の突出部材の簡易引張試験装置によれば、道路の側溝や集水ます等のＵ字状溝の側面に突出して設けた突出部材が所望の強度で取付けられているか否かを容易に確認することができる。特に、請求項１の構成の装置では、簡単に持ち運びができるとともに簡易に引張試験ができるので、突出部材を溝側面に施工する施行現場において簡便に引張試験ができる。
【発明を実施するための最良の形態】
【００１３】
以下、本発明の実施形態を図面に基づいて説明する。図１は、本発明に係る溝側面の突出部材の簡易引張試験装置の説明図であって、ａは正面図、ｂは左側面図、ｃは右側面図である。図において、１は基板フレーム、２は回動アーム部材、３は引上げアーム、４はアタッチメントである。
【００１４】
基板フレーム１は、厚板鋼板製の基板５と、その基板５上にウェブを立設支持部材６となるように一方のフランジを溶接固定したＨ形鋼７と、他方のフランジ面上に溶接固定されたブラケット８で構成されている。なお、基板５は、厚さが１０ｍｍ以上で比較的面積を有する重量のある厚鋼板であってもよいし、厚さが５ｍｍ程度の比較的薄い鋼板の場合には重石を取付けるように構成されてあってもよい。
【００１５】
回動アーム部材２は、２本の鋼管９、１０を一方の鋼管９を他方の鋼管１０内に装入し得る径で構成し伸縮可能としたもので、ボルト１１を緩めたり締付けることで長さの調整あるいは持ち運びを容易にしている。この回動アーム部材２は、鋼管１０の先端部を上記基板フレーム１のブラケット８にボルト・ナット１２で回動可能に取付けられる。なお、回動アーム部材２の鋼管９の後端部には人力で握って下降させた際に手を傷めないようにするため、あるいは下降させた際の衝撃緩和のため、必要によりストッパ１３が設けられる。また、この回動アーム部材２は、１本の鋼管あるいは棒材であってもよいことは言うまでもない。
【００１６】
引上げアーム３は、少なくとも上下部分にネジ部１４、１５を有するネジ棒で形成されている。この引上げアーム３は、上ネジ部１４を上記回動アーム部材２の鋼管１０の先端部に上下方向に開けた貫通孔に遊挿し、ナット１６を設けて取付けられる。なお、引上げアーム３を、回動アーム部材２の貫通孔に遊挿することで押下げて試験する際の引上げアーム３の垂直が維持される。
【００１７】
アタッチメント４は、図２に示すように、比較的厚さのある直方体の部材で構成されるとともに、その上端面には上記引上げアーム３の下ネジ部１５に螺合するネジ穴１７が形成され、またネジ穴１７と直交する面の中心部には突出部材（被引張試験材）Ｈに係合する貫通孔１８が厚さ方向に貫通して開けられている。
【００１８】
上記構成の溝側面の突出部材の簡易引張試験装置は次の要領で組立てられる。すなわち、地面に基板フレーム１を置き、この基板フレーム１のブラケット８に回動アーム部材２をボルト・ナット１２により回動可能に取付ける。次いで、回動アーム部材２の先端部の貫通孔に引上げアーム３を遊挿し、上ネジ部１４にナット１６を設け、下ネジ部１５にアタッチメント４を取付けて組立てる。このようにして組立てた後、試験現場における突出部材Ｈの取付け深さ位置に合せてナット１６を回転させてアタッチメント４までの長さを調整するとともに、回動アーム部材２の回動支点からアタッチメント４側の長さＬ１と押下げ側の長さＬ２を、鋼管９を鋼管１０内に装入あるいは抜き出しして押下げ負荷の掛けやすい比率（Ｌ２／Ｌ１≧３）に調整し、その長さ位置でボルト１１を締付けて固定する。
【００１９】
次に、上記要領で組立てた簡易引張試験装置による試験要領を図１を参照して説明する。簡易引張試験装置の基板フレーム１を図１に二点差線で示すＵ字状溝Ｕが埋設された地面上に置くとともに、アタッチメント４の貫通孔１８にＵ字状溝Ｕの側面に埋設された突出部材Ｈを挿入する。この状態で、回動アーム部材２の押下げ側（反アタッチメント４側）を人手で押下げる。この押下げ力で突出部材Ｈがぐらついたり、溶接部分が破損したり、埋設された部分が抜け出る場合には、不良施行と判断する。
【００２０】
上述したように、本発明に係る溝側面の突出部材の簡易引張試験装置は、施行現場への運搬が容易な上に、組立も容易であり、しかも試験操作も容易であって、Ｕ字状溝Ｕの側面に突出部材（被引張試験材）Ｈを埋設しながら確実な施行が成されているかのチェックができる。
【００２１】
なお、上記例では、人手による引張試験の場合を例に説明したが、本発明はこの例に限定されるものではなく、定量的な試験測定値を得たい場合には、回動アーム部材２の押下げ部分に錘を乗せ置くテーブルを設けたり、あるいは錘を抜けないように吊るして試験することができる。また、試験測定値の精度を上げるためには、アタッチメント４とナット１６との間の引上げアーム３にロードセルやバネ秤など（図示せず）を介在させて荷重を実測するようにしてもよい。
【００２２】
また、上記例では、基板フレーム１として基板５、Ｈ形鋼７及びブラケット８で構成する例を説明したが、図３に示すように、基板５の上面にブラケット８を間隔を開けて溶接し、回動アーム部材２の下面に支持部材１９を溶接して、ブラケット８と支持部材１９との間を回動可能に支持してもよい。また、図４に示すように、基板５の上面に回動アーム部材２が遊挿し得る間隔を設けて支柱（図示は山形鋼）２０を立設し、この支柱２０、２０間に回動アーム部材２を回動可能に且つ回動支点を上下方向に変更可能に設ける構成としてもよい。なお、図４の例では引上げアーム３にバネ秤３Ａを設け、回動アーム部材２の鋼管９はバネ秤３Ａがのびても押下げ端が地面に着かないようにクランク状に曲げてある。
【００２３】
図５は、本発明の別の実施形態の溝側面の突出部材の簡易引張試験装置の説明図であって、ａは正面図、ｂはａのＸ−Ｘ断面図である。図において、２１は門型フレーム、２２は昇降駆動手段、２３は引上げアーム、２４はアタッチメント、２５はロードセルである。
【００２４】
門型フレーム２１は、横フレーム２６とその両端の脚部２７とで構成されている。横フレーム２６は、２本の角管２８に間隔を設けその両端面に鋼板２９を溶接したものである。脚部２７は、鋼管３０の下端面に基板３１を、上端面にフランジ３２をそれぞれ溶接固定したものである。そして、本例では、左右２本の脚部２７のフランジ３２の上面に横フレーム２６を乗せ、ボルト３３、角ワッシャ３４、ナット３５により固定して門型フレーム２１を構成している。
【００２５】
昇降駆動手段２２は、センターラム式油圧ジャッキ３６を採用し、この油圧ジャッキ３６のネジ軸３７を上記横フレーム２６の角管２８の隙間を貫通させるとともに、油圧ジャッキ３６の下面にフランジ３８を設けて横フレーム２６上に移動可能に乗せ置かれている。
【００２６】
引上げアーム２３は、少なくとも上下部分にネジ部３９、４０を有するネジ棒で形成され、この上ネジ部３９と下ネジ部４０との間にロードセル２５が設けられている。この引上げアーム２３は、上ネジ部３９をカプラ（結合具）４１を介在させて上記油圧ジャッキ３６のネジ軸３７の下端に接続される。
【００２７】
アタッチメント２４は、上記図２に示すものと同じものであって、比較的厚さのある直方体の部材で構成されるとともに、その上端面には引上げアーム２３の下ネジ部４０に螺合するネジ穴１７が形成され、またネジ穴１７と直交する面の中心部には突出部材（被引張試験材）Ｈに係合する貫通孔１８が厚さ方向に貫通して開けられている。
【００２８】
上記構成の溝側面の突出部材の簡易引張試験装置による試験要領を図５を参照して説明する。簡易引張試験装置の門型フレーム２１の脚部２７を図５に二点差線で示すＵ字状溝Ｕの開口部に跨いで設けた架台Ｋ上に置くとともに、アタッチメント２４の貫通孔１８にＵ字状溝Ｕの側面に埋設された突出部材Ｈを挿入する。この状態で、油圧ジャッキ３６を作動し、ロードセル２５が所望の引上げ値を示すまでネジ軸３７と共に引上げアーム２３を引上げる。この引上げでロードセル２５が所望の引上げ値を示すまでに突出部材Ｈがぐらついたり、溶接部分が破損したり、埋設された部分が抜け出る場合には、不良施行と判断する。
【００２９】
上記図５に示す溝側面の突出部材の簡易引張試験装置であっても、上述した図１に示す溝側面の突出部材の簡易引張試験装置と同様に、Ｕ字状溝Ｕの側面に埋設された突出部材（被引張試験材）Ｈが確実に施行されているか、チェックができる。
【図面の簡単な説明】
【００３０】
【図１】本発明に係る溝側面の突出部材の簡易引張試験装置の説明図であって、ａは正面図、ｂは左側面図、ｃは右側面図である。
【図２】本発明に係るアタッチメントの説明図であって、ａは正面図、ｂは上面図である。
【図３】本発明の別の実施形態の溝側面の突出部材の簡易引張試験装置の説明図であって、ａは正面図、ｂは左側面図である。
【図４】本発明の別の実施形態の溝側面の突出部材の簡易引張試験装置の説明図であって、ａは正面図、ｂは上面図である。
【図５】本発明の別の実施形態の溝側面の突出部材の簡易引張試験装置の説明図であって、ａは正面図、ｂはａのＸ−Ｘ断面図である。
【符号の説明】
【００３１】
１：基板フレーム        ２：回動アーム部材    ３：引上げアーム
４：アタッチメント      ５：基板              ６：立設支持部材
７：Ｈ形鋼              ８：ブラケット        ９、１０：鋼管
１１：ボルト            １２：ボルト・ナット  １３：ストッパ
１４：上ネジ部          １５：下ネジ部        １６：ナット
１７：ネジ穴            １８：貫通孔          １９：支持部材
２０：支柱              ３Ａ：バネ秤          ２１：門型フレーム
２２：昇降駆動手段      ２３：引上げアーム    ２４：アタッチメント
２５：ロードセル        ２６：横フレーム      ２７：脚部
２８：角管              ２９：鋼板            ３０：鋼管
３１：基板              ３２：フランジ        ３３：ボルト
３４：角ワッシャ        ３５：ナット
３６：センターラム式油圧ジャッキ              ３７：ネジ軸
３８：フランジ          ３９：上ネジ部        ４０：下ネジ部
４１：カプラ              Ｋ：架台            Ｈ：突出部材
Ｕ：Ｕ字状溝
【図１】
2005043216.tif 000003
【図２】
2005043216.tif 000004
【図３】
2005043216.tif 000005
【図４】
2005043216.tif 000006
【図５】
2005043216.tif 000007